(57)【特許請求の範囲】
【請求項１】
（ａ）外部より入力された３種類の入力色成分の輝度を上げる度合いに該当するレベル増加率を許容光量増加比及び前記入力色成分から求める段階と、
（ｂ）前記レベル増加率を用いて前記入力色成分をスケーリングして得られたスケーリング結果を前記入力色成分の増加値に決定する段階と、
（ｃ）前記入力色成分の増加値を用いて第４色成分の値を求める段階と、
（ｄ）前記入力色成分の輝度を上げた出力色成分を前記第４色成分の値及び前記入力色成分の増加値を用いて求める段階と、
を含み、
前記レベル増加率は、第１所定値以下として構成されることを特徴とする映像の輝度変更方法。
【請求項２】
前記映像の輝度変更方法は、
（ｅ）２種類以上の領域より構成される色領域で、前記入力色成分である第１色成分、第２色成分及び第３色成分が属する領域を決定して前記段階（ａ）へ進む段階を、更に含み、
前記段階（ａ）は、前記段階（ｅ）で決定された領域に応じて前記レベル増加率を求めることを特徴とする請求項１に記載の映像の輝度変更方法。
【請求項３】
前記段階（ｅ）及び段階（ａ）は光量増加率を用いて行われ、
前記光量増加率は、予め可変可能に構成されることを特徴とする請求項２に記載の映像の輝度変更方法。
【請求項４】
前記段階（ｅ）は、
前記入力色成分を表わす入力ベクトルを、前記色領域の境界に延ばすときに前記境界と交わる交点を求める段階と、
前記交点の座標のうち少なくとも一つが第１しきい値より小さいか否かを判断する段階と、を含み、
前記交点のうちの少なくとも一つが前記第１しきい値より小さければ、前記入力色成分は固定されていない第１スケーリング空間に属し、前記交点のうちのいずれも前記第１しきい値より小さくなければ、前記入力色成分は固定された第２スケーリング空間に属することを特徴とする請求項３に記載の映像の輝度変更方法。
【請求項５】
前記第１しきい値は、ＲＧＢ各色成分における光量増加率である、前記光量増加率の成分光量増加率のうちの最大値または最小値に該当する許容光量増加率に応じて決定されることを特徴とする請求項４に記載の映像の輝度変更方法。
【請求項６】
前記段階（ａ）は、
（ａ１）前記交点の座標のうち少なくとも一つが第１しきい値より小さいと判断されれば、前記交点の座標のうちの最小値及び前記光量増加率の成分光量増加率のうちの最大値または最小値に該当する許容光量増加率を乗算し、得られた乗算結果を前記交点の座標の各々から減算する段階と、
（ａ２）前記入力色成分の輝度レベルのうちの最大値を前記（ａ１）段階で減算された減算結果のうちの最大値で除算して得られた除算結果を前記レベル増加率に決定し、前記（ｂ）段階へ進む段階と、
（ａ３）前記交点の座標のうちのいずれも前記第１しきい値より小さくないと判断されれば、前記第１所定値を前記レベル増加率に決定して前記段階（ｂ）へ進む段階と、
を含むことを特徴とする請求項４に記載の映像の輝度変更方法。
【請求項７】
前記第１しきい値は下記式（５）を用いて決定されることを特徴とする請求項４に記載の映像の輝度変更方法。
【数１】
0003857991.tif 000018
前記式（５）中、Ｋ3は成分光量増加率のうちの最大値または最小値に該当する許容光量増加率を表わし、前記光量増加率は各色成分における前記成分光量増加率で表わされ、ｋ1は前記入力色成分が有し得る輝度レベルの最大値を表わす。
【請求項８】
前記交点Ｒ3、Ｇ3及びＢ3の各座標は下記式（４）を用いて求められることを特徴とする請求項４に記載の映像の輝度変更方法。
【数２】
0003857991.tif 000019
前記式（４）中、Ｒ0、Ｇ0及びＢ0はそれぞれ前記入力色成分を表わし、Ｍ1は前記Ｒ0、Ｇ0及びＢ0のうちの最大値に該当し、ｋ1は前記入力色成分が有し得る輝度レベルの最大値を表わす。
【請求項９】
前記段階（ｅ）は、
前記入力色成分のうちの最大値及び最小値を抽出する段階と、
前記最小値の第１所定値の倍数を前記最大値から減算する段階と、前記減算された減算結果が第２しきい値より大きいか否かを判断する段階と、を含み、
前記減算結果が前記第２しきい値より大きければ、前記入力色成分は固定されていない第１スケーリング空間に属し、前記減算結果が前記第２しきい値以下であれば前記入力色成分は固定された第２スケーリング空間に属するように構成することを特徴とする請求項３に記載の映像の輝度変更方法。
【請求項１０】
前記段階（ａ）は、
（ａ１）前記減算結果が第２しきい値より大きいと判断されれば、前記最小値と前記光量増加率の成分光量増加率のうちの最大値または最小値に該当する許容光量増加率とを乗算して得られた乗算結果を前記最大値から減算し、得られた減算結果と前記最大値との比率を計算して得られた比率を前記レベル増加率に決定した後、前記段階（ｂ）へ進む段階と、
（ａ２）前記減算結果が前記第２しきい値以下であると判断されれば、第２所定値を前記レベル増加率に決定した後、前記段階（ｂ）へ進む段階と、
を含むことを特徴とする請求項９に記載の映像の輝度変更方法。
【請求項１１】
前記（ｂ）段階は、
前記段階（ａ）の後に、前記レベル増加率及び前記入力色成分を各々乗算し、得られた乗算結果を前記入力色成分の増加値に決定した後、前記段階（ｄ）へ進むことを特徴とする請求項３に記載の映像の輝度変更方法。
【請求項１２】
前記段階（ｃ）は、
（ｃ１）前記段階（ｂ）の後に、前記入力色成分の増加値のうちの一部の値を前記第４色成分の値に決定する段階と、
（ｃ２）前記段階（ｃ１）で決定された値が第３しきい値より大きいか否かを判断し、前記段階（ｃ１）で決定された値が前記第３しきい値以下であると判断されれば、前記段階（ｄ）へ進む段階と、
（ｃ３）前記段階（ｃ１）で決定された値が前記第３しきい値より大きいと判断されれば、前記第３しきい値に前記第４色成分の値を更新して前記段階（ｄ）へ進む段階と、
を含み、
前記第３しきい値は、前記第４色成分が有し得る前記輝度レベルの最大値とされ、且つ、前記光量増加率の成分光量増加率のうちの最大値または最小値に該当する許容光量増加率に応じて決定されることを特徴とする請求項３に記載の映像の輝度変更方法。
【請求項１３】
前記入力色成分の増加値のうちの一部の値は、前記増加値のうちの最小値に該当することを特徴とする請求項１２に記載の映像の輝度変更方法。
【請求項１４】
前記入力色成分の増加値のうちの一部の値は、前記増加値のうちの最大値から前記３種類の入力色成分が有し得る輝度レベルの最大値を減算して得られた減算結果に該当することを特徴とする請求項１２に記載の映像の輝度変更方法。
【請求項１５】
前記入力色成分の増加値のうちの一部の値は、前記入力色成分の増加値のうちの最大値から前記３種類の入力色成分が有し得る輝度レベルの最大値を減算して得られた減算結果及び前記増加値のうちの最小値を用いて求められることを特徴とする請求項１２に記載の映像の輝度変更方法。
【請求項１６】
前記段階（ｄ）は、
前記段階（ｃ）の後に、前記入力色成分の増加値から前記第４色成分の値を減算して得られた減算結果を前記出力色成分に決定することを特徴とする請求項３に記載の映像の輝度変更方法。
【請求項１７】
前記段階（ｄ）は、
（ｄ１）前記段階（ｃ）の後に、第４色チャンネルにおける出力光度を前記３種類の入力色成分にベクトル分解した結果である成分毎の光度間の比率より構成される配合比、及び前記第４色成分の値を成分毎に各々乗算する段階と、
（ｄ２）前記段階（ｄ１）で得られた乗算結果を前記入力色成分の増加値から減算して得られた減算結果を前記出力色成分に決定する段階と、
を含むことを特徴とする請求項３に記載の映像の輝度変更方法。
【請求項１８】
前記第１所定値は、前記許容光量増加率に１を加算した値であることを特徴とする請求項６に記載の映像の輝度変更方法。
【請求項１９】
前記第２所定値は、前記許容光量増加率に１を加算した値であることを特徴とする請求項１０に記載の映像の輝度変更方法。
【請求項２０】
外部より入力された３種類の入力色成分の輝度を上げる度合いに該当するレベル増加率を許容光量増加比及び前記入力色成分から計算する増加率計算部と、
前記入力色成分を前記増加率計算部より入力された前記レベル増加率に応じてスケーリングし、得られたスケーリング結果を前記入力色成分の増加値として出力する増加値計算部と、
前記増加値計算部より入力された前記入力色成分の増加値から第４色成分の値を計算して得られた前記第４色成分の値を出力する第４色成分値計算部と、前記入力色成分の輝度を上げた出力色成分を、前記入力色成分の増加値及び前記第４色成分の値から計算し、得られた前記出力色成分を出力する出力色成分計算部と、を備え、
前記レベル増加率は、第１所定値であることを特徴とする映像の輝度変更装置。
【請求項２１】
前記映像の輝度変更装置は、
２種類以上の領域より構成される色領域で、前記入力色成分である第１成分、第２成分及び第３成分が属する領域を決定し、決定された結果を第１制御信号として出力する領域決定部をさらに備え、
前記増加率計算部は、前記第１制御信号に応答して前記レベル増加率を求めることを特徴とする請求項２０に記載の映像の輝度変更装置。
【請求項２２】
前記領域決定部は、前記入力色成分に属する領域を前記光量増加率の成分光量増加率のうちの最大値または最小値に該当する許容光量増加率に応じて決定し、
前記増加率計算部は、前記許容光量増加率に応じて前記レベル増加率を計算することを特徴とする請求項２１に記載の映像の輝度変更装置。
【請求項２３】
前記領域決定部は、
前記入力色成分を表わすベクトルを前記色領域の境界に延ばすときに前記境界と交わる交点を前記入力色成分から計算する交点計算部と、
前記交点計算部より入力された前記交点の座標及び第１しきい値を比較して得られた比較結果を前記第１制御信号として出力する第１比較部と、
を備えることを特徴とする請求項２２に記載の映像の輝度変更装置。
【請求項２４】
前記交点計算部は、
前記入力色成分のうちの最大値を抽出する第１最大値抽出部と、
前記入力色成分の輝度レベルのうちの最大値を前記第１最大値抽出部より入力された前記最大値で除算する第１除算部と、
前記第１除算部より入力された前記除算された除算結果及び前記入力色成分を乗算し、得られた乗算結果を前記交点の座標として出力する第１乗算部と、
を備えることを特徴とする請求項２３に記載の映像の輝度変更装置。
【請求項２５】
前記増加率計算部は、
前記第１制御信号に応答して、前記交点計算部より入力された交点の座標のうちの最小値を抽出する第１最小値抽出部と、
前記第１最小値抽出部より入力された前記最小値を前記交点の座標の各々から減算して得られた減算結果を出力する第１減算部と、
前記第１減算部より入力された前記減算結果のうちの最大値を抽出する第２最大値抽出部と、
前記入力色成分の輝度レベルのうちの最大値を前記第２最大値抽出部より入力された前記最大値で除算し、得られた除算結果を前記レベル増加率として前記増加値計算部に出力する第１除算部と、
前記第１制御信号に応答して第１所定値を前記レベル増加率として出力する第１バイパス部と、
を備えることを特徴とする請求項２３に記載の映像の輝度変更装置。
【請求項２６】
前記増加率計算部は、
前記第１最小値抽出部より入力された前記最小値及び外部より入力された前記許容光量増加率を乗算し、得られた乗算結果を前記第１減算部に出力する第２乗算部を、更に備え、
前記第１減算部は、前記第２乗算部より入力された前記乗算結果を前記交点の座標の各々から減算することを特徴とする請求項２５に記載の映像の輝度変更装置。
【請求項２７】
前記領域決定部は、
前記入力色成分のうちの最大値を抽出する第３最大値抽出部と、
前記入力色成分のうちの最小値を抽出する第２最小値抽出部と、
前記最小値及び第１所定値を乗算し、得られた乗算結果を出力する第３乗算部と、
前記第３乗算部より入力された前記乗算結果を前記第３最大値抽出部より入力された前記最大値から減算して得られた減算結果を出力する第２減算部と、
前記第２減算部より入力された前記減算結果及び第２しきい値を比較して得られた比較結果を前記第１制御信号として出力する第２比較部と、
を備えることを特徴とする請求項２２に記載の映像の輝度変更装置。
【請求項２８】
前記増加率計算部は、
前記第１制御信号に応答して前記最大値から前記最小値を減算して得られた減算結果を出力する第３減算部と、
前記入力色成分のうちの前記最大値を前記第３減算部から減算して得られた減算結果で除算し、得られた除算結果を前記レベル増加率として出力する第３除算部と、
前記第１制御信号に応答して第２所定値を前記レベル増加率として出力する第２バイパス部と、
を備えることを特徴とする請求項２７に記載の映像の輝度変更装置。
【請求項２９】
前記増加率計算部は、
前記最小値及び前記許容光量増加率を乗算し、得られた乗算結果を前記第３減算部に出力する第４乗算部を、更に備え、
前記第３減算部は、前記第１制御信号に応答して前記最大値から前記第４乗算部の乗算結果を減算することを特徴とする請求項２８に記載の映像の輝度変更装置。
【請求項３０】
前記増加値計算部は、
前記増加率計算部より入力された前記レベル増加率及び前記入力色成分を各々乗算し、得られた乗算結果を前記入力色成分の増加値として出力する第５乗算部を備えることを特徴とする請求項２２に記載の映像の輝度変更装置。
【請求項３１】
前記第４色成分値計算部は、
前記増加値計算部より入力された前記入力色成分の増加値のうちの最小値を抽出し、抽出された前記最小値を出力する第３最小値抽出部と、
前記第３最小値抽出部より入力された前記最小値及び前記第４色成分が有し得る輝度レベルの最大値を比較して得られた比較結果を第２制御信号として出力する第３比較部と、
前記第２制御信号に応答して、前記第３最小値抽出部より入力された前記最小値を前記出力色成分計算部に前記第４色成分の値としてバイパスする第３バイパス部と、
前記第２制御信号に応答して、前記第４色成分の値を前記第４色成分が有し得る輝度レベルの前記最大値に更新して得られた前記第４色成分の値を前記出力色成分計算部に出力する第１更新部と、
を備えることを特徴とする請求項２２に記載の映像の輝度変更装置。
【請求項３２】
前記第４色成分値計算部は、
前記増加値計算部より入力された前記入力色成分の増加値のうちの最大値を抽出して得られた前記最大値を出力する第４最大値抽出部と、
前記第４最大値抽出部より入力された前記最大値及び前記第４色成分が有し得る輝度レベルの最大値を比較して得られた比較結果を第３制御信号として出力する第４比較部と、
前記第３制御信号に応答して、前記第４最大値抽出部より入力された前記最大値または前記第４色成分が有し得る輝度レベルの最大値から前記第４色成分が有し得る輝度レベルの前記最大値を減算し、得られた減算結果を出力する第４減算部と、
前記第４減算部より入力された前記減算結果及び前記第４色成分が有し得る輝度レベルの最大値を比較して得られた比較結果を第４制御信号として出力する第５比較部と、
前記第５比較部より入力された前記第４制御信号に応答して、前記第４減算部より入力された前記減算結果を前記第４色成分の値としてバイパスする第４バイパス部と、
前記第５比較部より入力された前記第４制御信号に応答して、前記第４色成分の値を前記第４色成分が有し得る前記輝度レベルの最大値に更新して得られた前記第４色成分の値を前記出力色成分計算部に出力する第２更新部と、
を備えることを特徴とする請求項２２に記載の映像の輝度変更装置。
【請求項３３】
前記第４色成分値計算部は、
前記増加値計算部より入力された前記入力色成分の増加値のうちの最大値を抽出して得られた前記最大値を出力する第５最大値抽出部と、
前記第５最大値抽出部より入力された前記最大値と前記第４色成分が有し得る輝度レベルの最大値とを比較して得られた比較結果を第５制御信号として出力する第６比較部と、
前記第６比較部より入力された前記第５制御信号に応答して、前記第４色成分が有し得る輝度レベルの最小値を出力する最小値設定部と、
前記第６比較部より入力された前記第５制御信号に応答して、前記第５最大値抽出部より入力された前記抽出された最大値から前記第４色成分が有し得る輝度レベルの最大値を減算して得られた減算結果を出力する第５減算部と、
前記増加値計算部より入力された前記入力色成分の増加値のうちの最小値を抽出して得られた前記最小値を出力する第４最小値抽出部と、
前記第５制御信号に応答して、前記第５減算部より入力された前記減算結果または前記最小値設定部から出力される最小値に前記第４最小値抽出部より入力された前記最小値を加算する加算部と、
前記加算部より入力された前記加算結果を所定の第１係数で除算する第４除算部と、
前記第４除算部より入力された前記除算された除算結果及び前記第４色成分が有し得る輝度レベルの最大値を比較して得られた比較結果を第６制御信号として出力する第７比較部と、
前記第７比較部より入力された前記第６制御信号に応答して、前記第４除算部より入力された前記除算された除算結果をバイパスする第５バイパス部と、
前記第７比較部より入力された前記第６制御信号に応答して、前記第４色成分の値を前記第４色成分が有し得る輝度レベルの前記最大値に更新して得られた前記第４色成分の値を前記出力色成分計算部に出力する第３更新部と、
を備えることを特徴とする請求項２２に記載の映像の輝度変更装置。
【請求項３４】
前記第４色成分値計算部は、
前記第５減算部より入力された前記減算結果及び所定の第２係数を乗算して得られた乗算結果を前記加算部に出力する第６乗算部と、
前記第４最小値抽出部より入力された前記抽出された最小値及び所定の第３係数を乗算し、得られた乗算結果を前記加算部に出力する第７乗算部と、を更に備え、
前記加算部は、前記第５制御信号に応答して前記第６乗算部より入力された前記乗算結果または前記最小値設定部より入力された前記最小値に前記第７乗算部より入力された前記乗算結果を加算することを特徴とする請求項３３に記載の映像の輝度変更装置。
【請求項３５】
前記出力色成分計算部は、
前記入力色成分の増加値から前記第４色成分の値を減算して得られた減算結果を前記出力色成分として出力する第６減算部を備えることを特徴とする請求項２２に記載の映像の輝度変更装置。
【請求項３６】
前記出力色成分計算部は、
前記入力色成分の配合比及び前記第４色成分の値を各々乗算して得られた乗算結果を出力する第８乗算部と、
前記第８乗算部で得られた乗算結果を前記入力色成分の増加値から減算して得られた減算結果を前記出力色成分として出力する第７減算部と、
を備えることを特徴とする請求項２２に記載の映像の輝度変更装置。
【発明の詳細な説明】
【０００１】
【発明の属する技術分野】
本発明は映像の輝度変更方法及び装置に係り、特に、映像の色及び彩度を保持したまま映像の輝度を調整する映像の輝度変更方法及びその装置に関する。
【０００２】
【従来の技術】
近年、液晶ディスプレイ装置（ＬＣＤ：Ｌｉｑｕｉｄ  Ｃｒｙｓｔａｌ  Ｄｉｓｐｌａｙ）、シリコンベースド液晶（ＬＣＯＳ：Ｌｉｑｕｉｄ  Ｃｒｙｓｔａｌ  Ｏｎ  Ｓｉｌｉｃｏｎ）やデジタルマイクロミラーデバイス（ＤＭＤ：Ｄｉｇｉｔａｌ  Ｍｉｃｒｏ−ｍｉｒｒｏｒ  Ｄｅｖｉｃｅ）等のマイクロディスプレイ装置、またはプラズマディスプレイパネル（ＰＤＰ：Ｐｌａｓｍａ  Ｄｉｓｐｌａｙ  Ｐａｎｅｌ）等のカラーディスプレイ装置はコンピュータモニタやテレビ受像機等に多用されており、その市場規模は益々拡大してきている。しかし、これらのディスプレイ装置のディスプレイスクリーンでは、陰極線管に比べて出力映像の光量が低くなり易いので、ディスプレイスクリーンの出力映像の光量を増やすべく、高出力のランプや高出力の電極等が採用されている。
【０００３】
このような高出力のランプまたは高出力の電極を用いることなく出力映像の光量（輝度）を上げるために、３種類の第１色成分、第２色成分及び第３色成分に、これら３種類の色成分とは異なる任意の色成分（以下、「第４色成分」と称する）を追加した４色ディスプレイ装置の製品開発が進められている。この第４色成分は、ディスプレイ装置のランプを第４色成分のフィルタ（以下、「第４フィルタ」（図示せず）と称する）に通過させる、あるいはディスプレイ装置のランプを第４フィルタから反射させることによって得られる。
【０００４】
そして、この第４フィルタを白色フィルタで構成すれば、ディスプレイ装置の輝度（光量）を上げることができるので、高出力のランプまたは高出力の電極を用いることなく、出力映像の光量（輝度）を上げることができる。
【０００５】
また、他の例として、第４フィルタを任意の色で構成すれば、該当する色領域の色表現の量が豊富になって、この４色ディスプレイ装置で色表現の高画質化が可能になる。従って、このようにして、４色ディスプレイ装置で色表現の高画質化を図る際に、３種類の色成分から第４色成分を抽出して４種類の色成分を得る方法が必要とされている。
【０００６】
出力映像の輝度（光量）を上げる従来の映像の輝度変更方法の１例として、米国のテキサス・インスツルメンツ社から、赤色（Ｒ：Ｒｅｄ）、緑色（Ｇ：Ｇｒｅｅｎ）、青色（Ｂ：Ｂｌｕｅ）の３色のフィルタに白色フィルタを付加する方法が提案されている。この方法は、色を生成するフィルタ区間を空間的に４等分する、あるいはビデオフレームを時間的に４等分して、白色フィルタ区間または白色光フレームをＲＧＢに追加した面順次方式を用いることにより、出力映像の輝度を白色フィルタ区間の大きさに比例して上げるようにしたものである（特許文献１参照）。
【０００７】
しかし、このような方法ではディスプレイ装置における出力映像の輝度を上げることができるものの、輝度の増加分は無彩色の成分であるために、出力映像において画素の元の色純度を低下するという問題がある。
【０００８】
また、従来の映像の輝度変更方法の他の１例として、日本のキャノン社から、２値化した液晶ディスプレイ装置を対象としてＲ、Ｇ、Ｂ及び白色（Ｗ：Ｗｈｉｔｅ）を一つの画素単位として各々のＲＧＢデータから白色成分を抽出し、これを、ハーフトーンプロセスを経てＲＧＢ及び白色ディスプレイドットに伝達する方法が提案されている（特許文献２参照）。
【０００９】
この方法の特徴は、入力されたＲＧＢデータの共通最小量を求めた後、これを非線形的に変換して白色成分を生成することである。すなわち、非線形モデルはガンマとオフセット及びスケールに該当する。その結果、前記した米国のテキサス・インスツルメンツ社から提案された方法が以前の面順次方式の白色補強を画素単位に発展させて白色成分の印加量も所定のモデルに応じて決定するという利点を有するのに対し、このキャノン社から提案された方法は白色印加量の追加による色の無彩色化を回避できる色純度保持方法を考慮していない。このため、出力映像の輝度を上げるとき、色純度を一定に保持できないという問題がある。
【００１０】
【特許文献１】
米国特許第５,２３３,３８５号明細書（発明の名称：Ｗｈｉｔｅ  ｌｉｇｈｔ  ｅｎｈａｎｃｅｄ  ｃｏｌｏｒ  ｆｉｅｌｄ  ｓｅｑｕｅｎｔｉａｌ
ｐｒｏｊｅｃｔｉｏｎ）（全頁）
【特許文献２】
米国特許第５,９２９,８４３号明細書（発明の名称：Ｉｍａｇｅ  ｐｒｏｃｅｓｓｉｎｇ  ａｐｐａｒａｔｕｓ  ｗｈｉｃｈ  ｅｘｔｒａｃｔｓ  ｗｈｉｔｅ  ｃｏｍｐｏｎｅｎｔ  ｄａｔａ）（全頁）
【００１１】
【発明が解決しようとする課題】
本発明は前記問題点を解決するためになされたものであって、その目的は、映像の色純度を保持しつつ映像の輝度を上げることのできる映像の輝度変更方法を提供することにある。
また、本発明の他の目的は、前記映像の輝度変更方法を実行する映像の輝度変更装置を提供することにある。
【００１２】
【課題を解決するための手段】
（１）前記目的を達成するための本発明に係る映像の輝度変更方法は、（ａ）第４色成分が属する色領域に従って、３種類の入力色成分である第１色成分、第２色成分および第３色成分の輝度を上げる度合いを示すレベル増加率を求める段階と、（ｂ）前記レベル増加率を用いて前記入力色成分をスケーリングして得られたスケーリング結果を前記入力色成分の増加値に決定する段階と、（ｃ）前記入力色成分の増加値を用いて前記第４色成分の値を求める段階と、（ｄ）前記入力色成分の輝度を上げた出力色成分を前記第４色成分の値及び前記入力色成分の増加値を用いて求める段階とを含み、前記レベル増加率は、第１所定値以下として構成される。
【００１３】
（２）本発明は、前記映像の輝度変更方法において、映像の輝度変更方法は（ｅ）２種類以上の領域より構成される色領域で、入力色成分である第１色成分、第２色成分及び第３色成分が属する領域を決定して段階（ａ）へ進む段階を更に含み、段階（ａ）は段階（ｅ）で決定された領域に応じて前記レベル増加率を求めるように構成することができる。
【００１４】
（３）また、本発明は、前記映像の輝度変更方法において、段階（ｅ）及び段階（ａ）は光量増加率を用いて行われ、光量増加率は、予め可変可能に構成されることが望ましい。
【００１５】
（４）また、本発明は、前記映像の輝度変更方法において、前記段階（ｅ）は、入力色成分を表わす入力ベクトルを、色領域の境界に延ばすときに境界と交わる交点を求める段階と、交点の座標のうち少なくとも一つが第１しきい値より小さいか否かを判断する段階とを含み、交点のうちの少なくとも一つが前記第１しきい値より小さければ、入力色成分は固定されていない第１スケーリング空間に属し、交点のうちのいずれも第１しきい値より小さくなければ入力色成分は固定された第２スケーリング空間に属するようにことができる。
【００１６】
（５）更に、本発明は、前記映像の輝度変更方法において、第１しきい値は、ＲＧＢ各色成分における光量増加率である光量増加率の成分光量増加率のうちの最大値または最小値に該当する許容光量増加率に応じて決定されることが望ましい。
【００１７】
（６）また、本発明は、前記映像の輝度変更方法において、段階（ａ）は、（ａ１）前記交点の座標のうち少なくとも一つが第１しきい値より小さいと判断されれば、交点の座標のうちの最小値及び前記光量増加率の成分光量増加率のうちの最大値または最小値に該当する許容光量増加率を乗算し、得られた乗算結果を前記交点の座標の各々から減算する段階と、（ａ２）前記入力色成分の輝度レベルのうちの最大値を前記（ａ１）段階で減算された減算結果のうちの最大値で除算して得られた除算結果を前記レベル増加率に決定し、前記（ｂ）段階へ進む段階と、（ａ３）前記交点の座標のうちのいずれも前記第１しきい値より小さくないと判断されれば、前記第１所定値を前記レベル増加率に決定して前記段階（ｂ）へ進む段階とを含むことが望ましい。
【００１８】
（７）そして、本発明は、前記映像の輝度変更方法において、第１しきい値を下記式（５）を用いて決定することができる。
【００１９】
【数３】
0003857991.tif 000002
【００２０】
前記式（５）中、Ｋ3は前記成分光量増加率のうちの最大値または最小値に該当する許容光量増加率を表わし、前記光量増加率は各色成分における前記成分光量増加率で表わされ、ｋ1は前記入力色成分が有し得る輝度レベルの最大値を表わす。
【００２１】
（８）また、本発明は、前記映像の輝度変更方法において、交点Ｒ3、Ｇ3及びＢ3の各座標を下記式（４）を用いて求めることができる。
【００２２】
【数４】
0003857991.tif 000003
【００２３】
前記式（４）中、Ｒ0、Ｇ0及びＢ0はそれぞれ前記入力色成分を表わし、Ｍ1は前記Ｒ0、Ｇ0及びＢ0のうちの最大値に該当し、ｋ1は前記入力色成分が有し得る輝度レベルの最大値を表わす。
【００２４】
（９）また、本発明は、前記映像の輝度変更方法において、段階（ｅ）が、前記入力色成分のうちの最大値及び最小値を抽出する段階と、前記最小値の第１所定値の倍数を前記最大値から減算する段階と、前記減算された減算結果が第２しきい値より大きいか否かを判断する段階とを含み、前記減算結果が前記第２しきい値より大きければ、前記入力色成分は固定されていない第１スケーリング空間に属し、前記減算結果が前記第２しきい値以下であれば前記入力色成分は固定された第２スケーリング空間に属するように構成することができる。
【００２５】
（１０）また、本発明は、前記映像の輝度変更方法において、段階（ａ）が、（ａ１）前記減算結果が第２しきい値より大きいと判断されれば、最小値と光量増加率の成分光量増加率のうちの最大値または最小値に該当する許容光量増加率とを乗算して得られた乗算結果を最大値から減算し、得られた減算結果と最大値との比率を計算して得られた比率をレベル増加率に決定した後、段階（ｂ）へ進む段階と、（ａ２）減算結果が第２しきい値以下であると判断されれば、第２所定値をレベル増加率に決定した後、段階（ｂ）へ進む段階とを含んで構成することができる。
【００２６】
（１１）更に、本発明は、前記映像の輝度変更方法において、（ｂ）段階が、段階（ａ）の後に、レベル増加率及び前記入力色成分を各々乗算し、得られた乗算結果を前記入力色成分の増加値に決定した後、段階（ｄ）へ進むことが望ましい。
【００２７】
（１２）また、本発明は、前記映像の輝度変更方法において、段階（ｃ）が、（ｃ１）段階（ｂ）の後に入力色成分の増加値のうちの一部の値を前記第４色成分の値に決定する段階と、（ｃ２）段階（ｃ１）で決定された値が第３しきい値より大きいか否かを判断し、段階（ｃ１）で決定された値が前記第３しきい値以下であると判断されれば、段階（ａ）へ進む段階と、（ｃ３）段階（ｃ１）で決定された値が第３しきい値より大きいと判断されれば、第３しきい値に第４色成分の値を更新して段階（ｄ）へ進む段階とを含み、第３しきい値は第４色成分が有し得る輝度レベルの最大値とされ、且つ、光量増加率の成分光量増加率のうちの最大値または最小値に該当する許容光量増加率に応じて決定されることが望ましい。
【００２８】
（１３）また、本発明は、前記映像の輝度変更方法において、入力色成分の増加値のうちの一部の値は増加値のうちの最小値に該当するように構成することが望ましい。
【００２９】
（１４）また、本発明は、前記映像の輝度変更方法において、入力色成分の増加値のうちの一部の値は、増加値のうちの最大値から３種類の入力色成分が有し得る輝度レベルの最大値を減算して得られた減算結果に該当するように構成することが望ましい。
【００３０】
（１５）また、本発明は、前記映像の輝度変更方法において、入力色成分の増加値のうちの一部の値を、入力色成分の増加値のうちの最大値から３種類の入力色成分が有し得る輝度レベルの最大値を減算して得られた減算結果及び前記増加値のうちの最小値を用いて求めることができる。
【００３１】
（１６）また、本発明は、前記映像の輝度変更方法において、段階（ｄ）が段階（ｃ）の後に入力色成分の増加値から第４色成分の値を減算して得られた減算結果を出力色成分に決定することが望ましい。
【００３２】
（１７）また、本発明は、前記映像の輝度変更方法において、段階（ｄ）が（ｄ１）段階（ｃ）の後に第４色チャンネルにおける出力光度を３種類の入力色成分にベクトル分解した結果である成分毎の光度間の比率より構成される配合比及び第４色成分の値を成分毎に各々乗算する段階と、（ｄ２）段階（ｄ１）で得られた乗算結果を入力色成分の増加値から減算して得られた減算結果を出力色成分に決定する段階とを含むことが望ましい。
【００３３】
（１８）また、本発明は、前記映像の輝度変更方法において、第１所定値が許容光量増加率に１を加算した値であることが望ましい。
【００３４】
（１９）また、本発明は、前記映像の輝度変更方法において、第２所定値が許容光量増加率に１を加算した値であることが望ましい。
【００３５】
（２０）そして、前記課題を解決するための本発明に係る映像の輝度変更装置は、外部より入力された入力色成分の輝度を上げる度合いに該当するレベル増加率を許容光量比及び前記入力色成分から計算する増加率計算部と、前記入力色成分を前記増加率計算部より入力された前記レベル増加率に応じてスケーリングし、得られたスケーリング結果を前記入力色成分の増加値として出力する増加値計算部と、前記増加値計算部より入力された前記入力色成分の増加値から第４色成分の値を計算して得られた前記第４色成分の値を出力する第４色成分値計算部と、前記入力色成分の輝度を上げた出力色成分を、前記入力色成分の増加値及び前記第４色成分の値から計算し、得られた前記出力色成分を出力する出力色成分計算部とを備え、前記レベル増加率を第１所定値として構成される。
【００３６】
（２１）本発明は、前記映像の輝度変更装置前記映像の輝度変更装置において、第４色領域で前記外部より入力された３種類の入力色成分である第１色成分、第２色成分及び第３色成分が属する領域を決定し、得られた結果を第１制御信号として出力する領域決定部を更に備え、増加率計算部が第１制御信号に応答して前記レベル増加率を求めるように構成することが望ましい。
【００３７】
（２２）また、本発明は、前記映像の輝度変更装置前記映像の輝度変更装置において、領域決定部が入力色成分に属する領域を光量増加率の成分光量増加率のうちの最大値または最小値に該当する許容光量増加率に応じて決定し、増加率計算部が許容光量増加率に応じてレベル増加率を計算することが望ましい。
【００３８】
（２３）また、本発明は、前記映像の輝度変更装置前記映像の輝度変更装置において、領域決定部が、入力色成分を表わすベクトルを前記色領域の境界に延ばすときに前記境界と交わる交点を前記入力色成分から計算する交点計算部と、交点計算部より入力された前記交点の座標及び第１しきい値を比較して得られた比較結果を前記第１制御信号として出力する第１比較部とを備えることが望ましい。
【００３９】
（２４）更に、本発明は、前記映像の輝度変更装置前記映像の輝度変更装置において、交点計算部が、入力色成分のうちの最大値を抽出する第１最大値抽出部と、入力色成分の輝度レベルのうちの最大値を第１最大値抽出部より入力された前記最大値で除算する第１除算部と、第１除算部より入力された前記除算された除算結果及び前記入力色成分を乗算し、得られた乗算結果を前記交点の座標として出力する第１乗算部とを備えることが望ましい。
【００４０】
（２５）また、本発明は、前記映像の輝度変更装置前記映像の輝度変更装置において、増加率計算部が、第１制御信号に応答して交点計算部より入力された交点の座標のうちの最小値を抽出する第１最小値抽出部と、第１最小値抽出部より入力された最小値を前記交点の座標の各々から減算して得られた減算結果を出力する第１減算部と、第１減算部より入力された減算結果のうちの最大値を抽出する第２最大値抽出部と、入力色成分の輝度レベルのうちの最大値を第２最大値抽出部より入力された最大値で除算し、得られた除算結果をレベル増加率として増加値計算部に出力する第１除算部と、第１制御信号に応答して第１所定値をレベル増加率として出力する第１バイパス部とを備えることが望ましい。
【００４１】
（２６）また、本発明は、前記映像の輝度変更装置前記映像の輝度変更装置において、増加率計算部が、第１最小値抽出部より入力された最小値及び外部より入力された許容光量増加率を乗算し、得られた乗算結果を第１減算部に出力する第２乗算部を更に備え、第１減算部が、第２乗算部より入力された前記乗算結果を前記交点の座標の各々から減算するように構成することが望ましい。
【００４２】
（２７）また、本発明は、前記映像の輝度変更装置前記映像の輝度変更装置において、領域決定部が、入力色成分のうちの最大値を抽出する第３最大値抽出部と、入力色成分のうちの最小値を抽出する第２最小値抽出部と、最小値及び第１所定値を乗算し、得られた乗算結果を出力する第３乗算部と、第３乗算部より入力された乗算結果を第３最大値抽出部より入力された最大値から減算して得られた減算結果を出力する第２減算部と、第２減算部より入力された前記減算結果及び第２しきい値を比較して得られた比較結果を第１制御信号として出力する第２比較部とを備えることが望ましい。
【００４３】
（２８）また、本発明は、前記映像の輝度変更装置前記映像の輝度変更装置において、増加率計算部が、第１制御信号に応答して前記最大値から前記最小値を減算して得られた減算結果を出力する第３減算部と、入力色成分のうちの前記最大値を第３減算部から減算して得られた減算結果で除算し、得られた除算結果をレベル増加率として出力する第３除算部と、第１制御信号に応答して第２所定値をレベル増加率として出力する第２バイパス部とを備えることが望ましい。
【００４４】
（２９）また、本発明は、前記映像の輝度変更装置前記映像の輝度変更装置において、増加率計算部が、最小値及び許容光量増加率を乗算し、得られた乗算結果を前記第３減算部に出力する第４乗算部を更に備え、第３減算部が、第１制御信号に応答して最大値から第４乗算部の乗算結果を減算するように構成することが望ましい。
【００４５】
（３０）また、本発明は、前記映像の輝度変更装置前記映像の輝度変更装置において、増加値計算部が、増加率計算部より入力されたレベル増加率及び入力色成分を各々乗算し、得られた乗算結果を前記入力色成分の増加値として出力する第５乗算部を備えるように構成することが望ましい。
【００４６】
（３１）更に、本発明は、前記映像の輝度変更装置前記映像の輝度変更装置において、第４色成分値計算部が、増加値計算部より入力された入力色成分の増加値のうちの最小値を抽出し、抽出された最小値を出力する第３最小値抽出部と、第３最小値抽出部より入力された最小値及び第４色成分が有し得る輝度レベルの最大値を比較して得られた比較結果を第２制御信号として出力する第３比較部と、第２制御信号に応答して、第３最小値抽出部より入力された最小値を出力色成分計算部に前記第４色成分の値としてバイパスする第３バイパス部と、第２制御信号に応答して、第４色成分の値を第４色成分が有し得る輝度レベルの最大値に更新して得られた第４色成分の値を出力色成分計算部に出力する第１更新部とを備えるように構成することが望ましい。
【００４７】
（３２）更にまた、本発明は、前記映像の輝度変更装置において、第４色成分値計算部が、増加値計算部より入力された入力色成分の増加値のうちの最大値を抽出して得られた最大値を出力する第４最大値抽出部と、第４最大値抽出部より入力された最大値及び第４色成分が有し得る輝度レベルの最大値を比較して得られた比較結果を第３制御信号として出力する第４比較部と、第３制御信号に応答して、第４最大値抽出部より入力された最大値または第４色成分が有し得る輝度レベルの最大値から第４色成分が有し得る輝度レベルの前記最大値を減算し、得られた減算結果を出力する第４減算部と、第４減算部より入力された減算結果及び第４色成分が有し得る輝度レベルの最大値を比較して得られた比較結果を第４制御信号として出力する第５比較部と、第５比較部より入力された第４制御信号に応答して、第４減算部より入力された減算結果を第４色成分の値としてバイパスする第４バイパス部と、第５比較部より入力された第４制御信号に応答して、第４色成分の値を第４色成分が有し得る輝度レベルの最大値に更新して得られた第４色成分の値を出力色成分計算部に出力する第２更新部とを備えることが望ましい。
【００４８】
（３３）また、本発明は、前記映像の輝度変更装置前記映像の輝度変更装置において、第４色成分値計算部が、増加値計算部より入力された入力色成分の増加値のうちの最大値を抽出して得られた最大値を出力する第５最大値抽出部と、第５最大値抽出部より入力された最大値と第４色成分が有し得る輝度レベルの最大値とを比較して得られた比較結果を第５制御信号として出力する第６比較部と、第６比較部より入力された第５制御信号に応答して、第４色成分が有し得る輝度レベルの最小値を出力する最小値設定部と、第６比較部より入力された第５制御信号に応答して、第５最大値抽出部より入力された抽出された最大値から第４色成分が有し得る輝度レベルの最大値を減算して得られた減算結果を出力する第５減算部と、増加値計算部より入力された前記入力色成分の増加値のうちの最小値を抽出して得られた最小値を出力する第４最小値抽出部と、第５制御信号に応答して、第５減算部より入力された減算結果または最小値設定部から出力される最小値に第４最小値抽出部より入力された最小値を加算する加算部と、加算部より入力された加算結果を所定の第１係数で除算する第４除算部と、第４除算部より入力された除算された除算結果及び第４色成分が有し得る輝度レベルの最大値を比較して得られた比較結果を第６制御信号として出力する第７比較部と、第７比較部より入力された第６制御信号に応答して、第４除算部より入力された除算された除算結果をバイパスする第５バイパス部と、第７比較部より入力された第６制御信号に応答して、第４色成分の値を第４色成分が有し得る輝度レベルの前記最大値に更新して得られた第４色成分の値を出力色成分計算部に出力する第３更新部とを備えることが望ましい。
【００４９】
（３４）また、本発明は、前記映像の輝度変更装置前記映像の輝度変更装置において、第４色成分値計算部が、第５減算部より入力された減算結果及び所定の第２係数を乗算して得られた乗算結果を加算部に出力する第６乗算部と、第４最小値抽出部より入力された抽出された最小値及び所定の第３係数を乗算し、得られた乗算結果を加算部に出力する第７乗算部とを更に備え、加算部が、第５制御信号に応答して第６乗算部より入力された乗算結果または最小値設定部より入力された最小値に第７乗算部より入力された乗算結果を加算することが望ましい。
【００５０】
（３５）更に、本発明は、前記映像の輝度変更装置前記映像の輝度変更装置において、出力色成分計算部が、入力色成分の増加値から第４色成分の値を減算して得られた減算結果を出力色成分として出力する第６減算部を備えることが望ましい。
【００５１】
（３６）そして、本発明は、前記映像の輝度変更装置前記映像の輝度変更装置において、出力色成分計算部が、入力色成分の配合比及び第４色成分の値を各々乗算して得られた乗算結果を出力する第８乗算部と、第８乗算部で得られた乗算結果を入力色成分の増加値から減算して得られた減算結果を出力色成分として出力する第７減算部とを備えることが望ましい。
【００５２】
【発明の実施の形態】
以下、添付した図面に基づき、本発明に係る映像の輝度変更方法及び装置の原理について詳細に説明する。
図１は、３種類の入力色成分である第１色成分、第２色成分及び第３色成分（例えば、ＲＧＢ）を３次元色空間で示す図面である。
【００５３】
図２は、４種類の第１色成分、第２色成分、第３色成分及び第４色成分（例えば、ＲＧＢＷ、ここで、Ｗは第４色成分を意味する）をＲＧ及びＷを用いて２次元上で例示する図面であり、Ｘ軸はＲ及びＷr（ここで、ＷrはＲＧＢ３次元空間上においてＷをＲ軸に投影した結果を表す）を合わせた軸に該当し、Ｙ軸はＧ及びＷg（ここで、ＷgはＲＧＢ３次元空間上においてＷをＧ軸に投影した結果を表わす）を合わせた軸に該当する。第４色成分、例えばＷはＲＧＢのベクトル和で表わすことができ、Ｗ＝｛ＷrＷgＷb｝（ここで、ＷbはＲＧＢ３次元空間上においてＷをＢ軸に投影した結果を表す）として定義される。
【００５４】
純度を保持し、且つ映像の輝度を所望の映像の輝度に変更するために、本発明に係る映像の輝度変更方法及び装置は、４色処理の方式を導入する。任意の２色信号Ｃ1及びＣ2の和は両ベクトルの内積であって、下記式（１）のように表わされる。
【００５５】
【数５】
0003857991.tif 000004
【００５６】
前記式（１）中、Ｃi（１≦ｉ≦３）は色信号を表わし、ｍａｇiは色信号の大きさを表わし、Ｕｖｅｃiは色信号の方向ベクトルを表わし、Ｄｏｔは内積を各々表わす。
【００５７】
図１に示す映像の入力色信号Ｃ1に、光量増加のために第４色信号Ｃ2を映像の入力色信号Ｃ1に混合すれば、混合色Ｃ3が得られる。このとき、混合色Ｃ3は映像の入力色信号Ｃ1とは一般的に異なる方向ベクトルを有するため、その結果として入力映像の色信号Ｃ1は、光量は増加されるものの色調が異なって見えることとなる。
【００５８】
従って、混合色Ｃ3を元の映像入力色信号Ｃ1方向と一致させる補正過程が必要となる。例えば、映像の入力色信号Ｃ1の方向ベクトルと一致するとともに、輝度が上げられた目標ベクトルＣTを得るために、第４色信号Ｃ2と補正ベクトル成分Ｃ4との内積を下記式（２）を用いて実行することができる。
【００５９】
【数６】
0003857991.tif 000005
【００６０】
前記式（２）中、補正ベクトル成分Ｃ4の大きさｍａｇ4及び方向ベクトルＵｖｅｃ4は入力色信号Ｃ1の大きさｍａｇ1及び方向ベクトルＵｖｅｃ1、第４色信号Ｃ2の大きさｍａｇ2及び方向ベクトルＵｖｅｃ2の関数となる。従って、入力色信号Ｃ1の大きさｍａｇ1及び方向ベクトルＵｖｅｃ1、第４色信号Ｃ2の大きさｍａｇ2及び方向ベクトルＵｖｅｃ2のうち少なくとも一つが変化すれば、補正ベクトル成分Ｃ4の大きさｍａｇ4及び方向ベクトルＵｖｅｃ4も変化する。
【００６１】
このとき、前記式（２）は４種類の色で任意の入力映像Ｃ1の色調を自然に再現するのに充分な条件とはならない。このため、図２に示すような色領域の範囲を考慮して第４色成分の値を決定する必要がある。その理由は、第４色成分の領域は、ＲＧＢの３色空間のように正６面体のカラー範囲ではなく、最大で１０面体の立方体形状のカラー範囲を有するからである。
【００６２】
図２に示す入力色領域の範囲を正方形であるＯｒｇ−Ｒ’−Ｆ−Ｇ’とすると、出力される色領域の範囲は、６個の頂点であるＯｒｇ−Ｇ’−Ａ−Ｄ−Ｂ−Ｒ’を結んだ六角形となる。ここで、２つの三角形Ｇ’−Ｇ”−Ａ及びＢ−Ｒ’−Ｒ”の内部は色成分を表わすことができない空間である。
【００６３】
図２に示すように、四角形Ｏｒｇ−Ａ’−Ｆ−Ｂ’の内部にある入力色成分と、一定の大きさの値とが乗算される場合、ベクトル方向を保持し、且つその大きさを拡大することが可能である。このように色成分の大きさを拡大した後の色成分が四角形Ｏｒｇ−Ａ’−Ｆ−Ｂ’以外の空間にある場合には、前記一定の大きさと色成分とを乗算すれば、拡大された色成分が色空間上の外部の位置に写像されたことになる。
【００６４】
従って、四角形Ｏｒｇ−Ｒ’−Ｆ−Ｇ’の内部にある入力色成分の輝度を、ベクトルの方向を保持したまま可能な範囲内で上げるには、２つの三角形Ｏｒｇ−Ｇ’−Ａ’及びＯｒｇ−Ｒ’−Ｂ’の内部に存在している色と四角形Ｏｒｇ−Ａ’−Ｆ−Ｂ’の内部に存在している色とを分離して処理する必要がある。
【００６５】
更に、２つの三角形Ｏｒｇ−Ｇ’−Ａ’及びＯｒｇ−Ｒ’−Ｂ’の内部の色の値を増加させるには、表現できる可能性のある色領域に存在するように、対応する色の成分比または座標に応じて該当する色の増加率または色の量を適宜調節することが必要である。
【００６６】
また、四角形Ｏｒｇ−Ａ’−Ｆ−Ｂ’の大きさと四角形Ａ−Ｄ−Ｂ−Ｆの大きさとの比率は、第４色成分の出力光量に対する第１色成分、第２色成分及び第３色成分、すなわち、出力光量とＲＧＢの各色成分との比（以下、「光量増加率ＬS」と称する）に応じて決定される。すなわち、四角形Ｏｒｇ−Ａ’−Ｆ−Ｂ’はＲＧＢの各色成分の出力光量で表わされる色領域であり、四角形Ａ−Ｄ−Ｂ−Ｆは第４色成分の出力光量で表わされる色領域である。そして、２つの三角形Ｏｒｇ−Ｇ’−Ａ’及びＯｒｇ−Ｒ’−Ｂ’はＲＧＢの各色成分と第４色成分との混合によって表わされる色領域である。光量増加率ＬSは下記式（３）で表される。
【００６７】
【数７】
0003857991.tif 000006
【００６８】
前記式（３）中、光量増加率ＬSは、ＲＧＢの各色成分における光量増加率（以下、「成分光量増加率」と称する）ＬS#r、ＬS#g及びＬS#bで表わされる。また、Ｅr、Ｅg、Ｅb及びＥWは、各々ディスプレイ装置から出力されるＲチャンネル、Ｇチャンネル、Ｂチャンネル及び第４色チャンネルにおける光度を表わす。そして、ＥW#g及びＥW#bは、４色チャンネルの出力光度ＥWを３色（例えば、ＲＧＢ）成分にベクトル分解したときに得られる３色成分別の光度である。
【００６９】
例えば、ディスプレイ装置から出力されるＲチャンネル、Ｇチャンネル及びＢチャンネルの出力光度が各々１００であり（Ｅr＝Ｅg＝Ｅb＝１００）、第４色チャンネルにおける出力光度ＥWを３色成分に分解したときに分解された成分別の光度ＥW#r、ＥW#g及びＥW#bが各々４０、５０及び６０である場合、３色の各成分光量増加率ＬS#r、ＬS#g及びＬS#bは各々０．４、０．５及び０．６となる。この場合、図２に示すように、四角形Ｏｒｇ−Ｒ’−Ｆ−Ｇ’及び四角形Ａ−Ｄ−Ｂ−Ｆにおける線分Ｏｒｇ−Ｒ’と線分Ｆ−Ｂとの長さ比は１：０．４であり、線分Ｏｒｇ−Ｇ’と線分Ｆ−Ａとの長さ比は１：０．５となる。
【００７０】
図３は、４種類の色成分、例えばＲＧＢＷをＲＧ及びＷを用いて２次元上において例示的に示す他の図面である。
第４色チャンネルで分解された成分別の光度ＥW#r、ＥW#g及びＥW#b、ＥW#bが異なるとき、すなわち、図２のＷr（Ｗrは線分Ｆ−Ｂの長さである）とＷg（ここで、Ｗgは線分Ｆ−Ａの長さである）とが異なる場合、第４色成分の色領域の様子が変化する場合がある。図３は、第４色成分の色領域の様子が変化した色領域の様子を２次元で示す図面である。
【００７１】
以下、添付した図面に基づき、本発明に係る映像の輝度変更方法について説明する。
図４は、本発明に係る映像の輝度変更方法を説明するためのフローチャートである。図４に示すように、本発明に係る映像の輝度変更方法は、入力された色成分が属する領域に応じて求められたレベル増加率を用いて入力された色成分をスケーリングする段階（第１０段階〜第１４段階）と、増加値を用いて第４色成分の値と出力色成分とを求める段階（第１６段階及び第１８段階）とを含んで構成されている。
【００７２】
また、図４に示すように、図２に示す色領域のうち３種類の入力色成分である第１、第２及び第３色成分が属する領域を決定する（第１０段階）。
ここで、３種類の入力色成分は映像を処理するときに一般的に用いられる色信号であり、ＲＧＢ、輝度（Ｙ）及び色差信号（ＣｒＣｂ）、輝度（Ｙ）及び色差信号（Ｉ及びＱ）、色・輝度・純度（ＨＬＳ：Ｈｕｅ  Ｌｉｇｈｔｎｅｓｓ  Ｓａｔｕｒａｔｉｏｎ）または国際照明委員会（ＣＩＥ：Ｃｏｍｍｉｓｓｉｏｎ  Ｉｎｔｅｒｎａｔｉｏｎａｌｅ  ｄｅ  ｌ’Ｅｃｌａｉｒａｇｅ）の輝度及び色差信号（ＣＩＥＬＡＢまたはＣＩＥＬＵＶ）などになりうる。以下では、本発明への理解のために、３種類の入力色成分はＲＧＢであると仮定する。
【００７３】
第１０段階後に、入力色成分Ｒ0、Ｇ0及びＢ0の輝度を上げる度合いに該当するレベル増加率Ｓ1を決定された領域に応じて求める（第１２段階）。本発明によれば、入力色成分Ｒ0、Ｇ0及びＢ0が属する領域と、入力色成分Ｒ0、Ｇ0及びＢ0の輝度を上げる度合いは、光量増加率ＬSを考慮して決定することができる。ここで、光量増加率ＬSは前記式（３）を用いて設定される、または任意の値として例えば「１」に設定される、あるいは予め可変可能な所定値に設定されてもよい。
【００７４】
図５は、図４に示す第１０段階及び第１２段階に関する本発明で好適な１実施形態を説明するためのフローチャートであり、入力色成分が属する領域を決定する段階（第３０段階及び第３２段階）及びレベル増加率を求める段階（第３４段階から第３８段階）を含んで構成される。
【００７５】
本発明に係る１実施形態によれば、入力色成分Ｒ0、Ｇ0及びＢ0を表わす入力ベクトルを、入力された色領域の境界、すなわち正四角形Ｏｒｇ−Ｒ’−Ｆ−Ｇ’の周辺に延長するときに、この境界と交わる交点Ｒ3、Ｇ3及びＢ3を下記式（４）を用いて求める（第３０段階）。
【００７６】
【数８】
0003857991.tif 000007
【００７７】
前記式（４）中、Ｍ1はＲ0、Ｇ0及びＢ0のうちの最大値に該当し、ｋ1は入力色成分が有し得る輝度レベルの最大値であって、例えば２５５に設定することができ、交点Ｒ3、Ｇ3及びＢ3は図２に示すＧ’−ＦまたはＦ−Ｒ’線上にある点であり、入力色成分Ｒ0、Ｇ0及びＢ0がＱ点に該当するとき、前記の交点Ｒ3、Ｇ3及びＢ3はＫ点に該当する。
【００７８】
そして、第３０段階の後で、交点Ｒ3、Ｇ3及びＢ3のうちの少なくとも１つが第１しきい値より小さいか否かを判断する（第３２段階）。本発明にあっては、この第１しきい値は下記式（５）で表わされる。
【００７９】
【数９】
0003857991.tif 000008
【００８０】
前記式（５）中、Ｋ3は前記式（３）で表わされる成分光量増加率ＬS#r、ＬS#g及びＬS#bのうちの最大値（または最小値）（以下、「許容光量増加率」と称する）を意味する。もし、この許容光量増加率Ｋ3が１であり、Ｋ1が２５５であるとき、この第１しきい値は１２７となる。
【００８１】
ここで、交点Ｒ3、Ｇ3及びＢ3の座標のうちの少なくとも１つが第１しきい値より小さければ、入力色成分Ｒ0、Ｇ0及びＢ0は固定されていない第１スケーリング空間、すなわち、図２に示す２つの三角形領域Ｏｒｇ−Ｇ’−Ａ’及びＯｒｇ−Ｒ’−Ｂ’に属する。
【００８２】
しかし、交点Ｒ3、Ｇ3及びＢ3の座標のうちのいずれも第１しきい値より小さくない場合、入力色成分Ｒ0、Ｇ0及びＢ0は固定された第２スケーリング空間、すなわち、図２に示す四角形領域Ｏｒｇ−Ａ’−Ｆ−Ｂ’に属する。
【００８３】
もし、交点Ｒ3、Ｇ3及びＢ3の座標のうちの少なくとも１つが第１しきい値より小さくないと判断されれば、交点Ｒ3、Ｇ3及びＢ3の座標のうちの最小値と許容光量増加率Ｋ3とを乗算した乗算結果を、交点の各座標Ｒ3、Ｇ3またはＢ3から下記式（６）に示すように減算する（第３６段階）。
【００８４】
【数１０】
0003857991.tif 000009
【００８５】
前記式（６）中、Ｒ4、Ｇ4及びＢ4は交点の各座標Ｒ3、Ｇ3またはＢ3から交点Ｒ3、Ｇ3及びＢ3の座標のうちの最小値と許容光量増加率Ｋ3とを乗算した乗算結果を減算した減算結果を表わし、Ｍｉｎ（Ｒ3、Ｇ3、Ｂ3）はＲ3、Ｇ3及びＢ3のうちの最小値を表わす。
【００８６】
第３６段階の後に、入力色成分Ｒ0、Ｇ0及びＢ0が実現可能な輝度レベルの最大値ｋ1を、Ｒ4、Ｇ4及びＢ4のうちの最大値で下記式（７）に示すように除算し、得られた除算結果をレベル増加率Ｓ1に決定して第１４段階へ進む（第３８段階）。
【００８７】
【数１１】
0003857991.tif 000010
【００８８】
前記式（７）中、Ｍａｘ（Ｒ4、Ｇ4、Ｂ4）は減算された結果Ｒ4、Ｇ4及びＢ4のうちの最大値を表わす。
しかし、交点Ｒ3、Ｇ3及びＢ3の座標のうちのいずれも第１しきい値より小さくないと判断されれば、第１所定値をレベル増加率Ｓ1に決定し、第１４段階へ進む（第３４段階）。
【００８９】
ここで、第１所定値Ｋ4は許容光量増加率Ｋ3に「１」を加算した値である。このとき、許容光量増加率Ｋ3は予め決定されれた値である。従って、第１所定値Ｋ4もまた予め決定される。このとき、前記レベル増加率は第１所定値以下となる。
【００９０】
図６は、図４に示す第１０段階及び第１２段階に関する本発明に係る好適な他の実施形態を説明するためのフローチャートであり、入力色成分が属する領域を決定する段階（第５０段階から第５４段階）及びレベル増加率を求める段階（第５６段階及び第５８段階）を含んで構成される。
【００９１】
本発明に係る他の実施形態によれば、入力色成分Ｒ0、Ｇ0及びＢ0のうちの最大値Ｍ1及び最小値Ｍ2を抽出する（第５０段階）。第５０段階の後に、最小値Ｍ2をＫ4倍した値を最大値Ｍ1から減算する（第５２段階）。第５２段階の後に、最小値Ｍ2をＫ4倍した値を最大値Ｍ1から減算して得られた減算結果が第２しきい値より大きいか否かを判断する（第５４段階）。例えば、第２しきい値は「０」となり得る。
【００９２】
ここで、最小値Ｍ2をＫ4倍した値を最大値Ｍ1から減算して得られた減算結果が第２しきい値より大きければ、入力色成分Ｒ0、Ｇ0及びＢ0は第１スケーリング空間に属する。しかし、最小値Ｍ2をＫ4倍した値を最大値Ｍ1から減算して得られた減算結果が第２しきい値以下であれば、入力色成分Ｒ0、Ｇ0及びＢ0は第２スケーリング空間に属する。
【００９３】
もし、最小値Ｍ2をＫ4倍した値を最大値Ｍ1から減算して得られた減算結果が第２しきい値より大きいと判断されれば、最小値Ｍ2と許容光量増加率Ｋ3とを乗算した結果を、最大値Ｍ1から減算して得られた減算結果であるＭ1−Ｋ3×Ｍ2と最大値Ｍ1との比率を計算により求め、下記式（８）に示すように計算された比率をレベル増加率Ｓ1に決定して第１４段階へ進む（第５６段階）。
【００９４】
【数１２】
0003857991.tif 000011
【００９５】
しかし、最小値Ｍ2をＫ4倍した値を最大値Ｍ1から減算して得られた減算結果が第２しきい値以下であると判断されれば、第２所定値をレベル増加率Ｓ1に決定し、第１４段階へ進む（第５８段階）。
ここで、第２所定値は、入力色成分とは独立させて決定され、前記第１所定値Ｋ4と同一の値とされる。
【００９６】
その結果、入力色成分Ｒ0、Ｇ0及びＢ0が第１スケーリング空間に属するときには入力色成分Ｒ0、Ｇ0及びＢ0からレベル増加率Ｓ1が求められ、入力色成分Ｒ0、Ｇ0及びＢ0が第２スケーリング空間に属するときには入力色成分Ｒ0、Ｇ0及びＢ0とは独立させてレベル増加率Ｓ1が求められる。
【００９７】
本発明に係る映像の輝度変更方法は、図４に示すように、前記第１０段階は必須ではなく、前記第１０段階を備えない場合でも本発明の効果を奏することが可能である。この場合、レベル増加率は第４色成分が含まれる色領域に応じて求められる（第１２段階）。
【００９８】
一方、第１２段階後に、レベル増加率Ｓ1を用いて入力色成分Ｒ0、Ｇ0及びＢ0をスケーリングして得られたスケーリング結果を入力色成分Ｒ0、Ｇ0及びＢ0の増加値Ｒ2、Ｇ2及びＢ2に決定する（第１４段階）。
【００９９】
本発明の実施形態によれば、第１２段階後に、レベル増加率Ｓ1と入力色成分Ｒ0、Ｇ0及びＢ0とを各々乗算し、下記式（９）に示すように乗算された乗算結果を増加値Ｒ2、Ｇ2及びＢ2に決定して第１６段階へ進む（第１４段階）。
【０１００】
【数１３】
0003857991.tif 000012
【０１０１】
すなわち、入力色成分Ｒ0、Ｇ0及びＢ0が第２スケーリング空間に属するとき、レベル増加率Ｓ1と入力色成分Ｒ0、Ｇ0及びＢ0とを前記式（９）に示すように乗算すれば、入力色成分Ｒ0、Ｇ0及びＢ0は大きくなりつつ入力色成分Ｒ0、Ｇ0及びＢ0のベクトル方向は一定に保持されうる。例えば、前記式（９）を用いれば、入力色成分Ｒ0、Ｇ0及びＢ0に該当する図２のＰ点は増加値Ｒ2、Ｇ2及びＢ2に該当するＰ’点となる。
【０１０２】
しかし、入力色成分Ｒ0、Ｇ0及びＢ0が第１スケーリング空間に属するとき、入力色成分Ｒ0、Ｇ0及びＢ0のベクトル方向の延長線と各々交わる入力色領域の交点ＩＰ1及び出力色領域の交点ＩＰ2から下記式（１０）に示すようにレベル増加率Ｓ1を求める。
【０１０３】
【数１４】
0003857991.tif 000013
【０１０４】
ここで、交点ＩＰ1は図２に示すＫ点であって、（Ｒ3、Ｇ3、Ｂ3）に該当し、交点ＩＰ2は図２に示すＨ点に該当する。従って、前記式（１０）は線分Ｏｒｇ−Ｈ及び線分Ｏｒｇ−Ｋ間の長さ比によってレベル増加率Ｓ1を決定する。このとき、図２に示すように、線分Ｋ−Ｋ’と線分Ｒ’−Ｂとは同じ傾斜を有するため、交点ＩＰ2に該当する線分Ｏｒｇ−Ｈに対する交点ＩＰ1に該当する線分Ｏｒｇ−Ｋ間の長さ比は、線分Ｏｒｇ−Ｒ’に対する線分Ｏｒｇ−Ｋ’間の長さ比と同じである。ここで、点Ｋ’は（Ｒ4、Ｇ4、Ｂ4）に該当する。従って、入力色成分Ｒ0、Ｇ0及びＢ0が点Ｑである場合、レベル増加率Ｓ1と点Ｑとを乗算すれば、出力色領域内の１点Ｑ”を得ることができる。
【０１０５】
レベル増加率Ｓ1の計算のための他の方法は、点Ｋ’の代わりに点Ｊ及び点Ｊ’を用いることである。図２に示すように、線分Ｋ−Ｋ’及び線分Ｒ’−Ｂは線分Ｑ−Ｊ’とも同じ傾斜を有するため、交点ＩＰ2に該当する線分Ｏｒｇ−Ｈに対する交点ＯＰ1に該当する線分Ｏｒｇ−Ｋの比率は線分Ｏｒｇ−Ｊに対する線分Ｏｒｇ−Ｊ’の比率と同じである。
ここで、線分Ｏｒｇ−Ｊは前記式（８）のＭ1に該当し、線分Ｏｒｇ−Ｊ’は前記式（８）中のＭ1−Ｋ3×Ｍ2に該当する。その結果、入力色成分Ｒ0、Ｇ0及びＢ0が点Ｑである場合、レベル増加率Ｓ1と点Ｑとを乗算すれば、出力色領域内の１点Ｑ”を得ることができる。
【０１０６】
一方、第１４段階で求められた前記式（９）で表わされる増加値Ｒ2、Ｇ2及びＢ2は、入力色成分Ｒ0、Ｇ0及びＢ0の輝度を上げた結果であるため、実質的に第４色成分を含んでいる。従って、第１４段階後に、増加値Ｒ2、Ｇ2及びＢ2を用いて第４色成分の値Ｗoutを求める（第１６段階）。第１６段階に関する本発明に係る実施形態について下記の通りに説明する。
【０１０７】
図７は、図４に示す第１６段階に関する本発明に係る一実施形態１６Ａを説明するためのフローチャートであり、増加値のうち一部値（前記入力色成分の増加値のうちの一部の値）を第４色成分の値Ｗoutに決定する段階（第９０段階）及び第４色成分の値Ｗoutが第４色成分が有し得る輝度レベルの最大値ｋ2より大きいか否かにより第４色成分の値Ｗoutを更新する段階（第９２段階及び第９４段階）を含んで構成される。
【０１０８】
第１４段階後に、増加値Ｒ2、Ｇ2及びＢ2のうち一部値（前記入力色成分の増加値のうちの一部の値）Ｗmを第４色成分の値Ｗoutに決定する（第９０段階）。ここで、一部値Ｗmは増加値Ｒ2、Ｇ2及びＢ2のうちの最小値または重み付け値を有する最小値になり、また増加値Ｒ2、Ｇ2及びＢ2のうちの最大値（例えば、Ｋ4＝１の場合に５１１）から３種類の入力色成分が有し得る輝度レベルの最大値（例えば、２５５）を減算した結果にもなりうる。また、一部値Ｗmは増加値Ｒ2、Ｇ2及びＢ2のうちの最小値と増加値Ｒ2、Ｇ2及びＢ2のうちの最大値から３色成分の最大値を減算した結果との平均を取って用いることができる。一部値Ｗmは下記式（１１）で定義される。
【０１０９】
【数１５】
0003857991.tif 000014
【０１１０】
前記式（１１）中、Ｍ8は増加値Ｒ2、Ｇ2及びＢ2のうちの最小値であり、Ｍ9は増加値Ｒ2、Ｇ2及びＢ2のうちの最大値から３種類の入力色成分が有し得る輝度レベルの最大値を減算した結果に該当し、係数ａ1、ａ2及びａ3は各々重み付け値を表わす。
【０１１１】
第９０段階後に、決定された第４色成分の値Ｗoutが第３しきい値より大きいか否かを判断する（第９２段階）。ここで、第３しきい値は第４色成分が有し得る輝度レベルの最大値ｋ2であり、許容光量増加率Ｋ3に応じて決定される。
【０１１２】
もし、決定された第４色成分の値Ｗoutが第３しきい値以下であると判断されれば、第１８段階へ進む。しかし、決定された第４色成分の値Ｗoutが、第４色成分が有し得る輝度レベルの最大値ｋ2である第３しきい値より大きいと判断されれば、決定された第４色成分の値Ｗoutを第４色成分が有し得る輝度レベルの最大値ｋ2である第３しきい値に更新し、第１８段階へ進む（第９４段階）。例えば、Ｋ3＝１の場合、第３しきい値は２５５になりうる。
【０１１３】
第１６段階後に、入力色成分Ｒ0、Ｇ0及びＢ0の輝度を上げた結果に該当する出力色成分Ｒout、Ｇout及びＢoutを第４色成分の値Ｗoutと増加値Ｒ2、Ｇ2及びＢ2とを用いて求める（第１８段階）。
【０１１４】
本発明の一実施形態によれば、３種類の入力色成分Ｒ0、Ｇ0及びＢ0により生成された第４色成分と第４色チャンネルにおいて再現される第４色成分とが同じであると仮定するとき、下記式（１２）に示すように、第１６段階後に、増加値Ｒ2、Ｇ2及びＢ2から第４色成分Ｗoutの値を減算し、減算された結果を出力色成分Ｒout、Ｇout及びＢoutに決定する（第１８段階）。
【０１１５】
【数１６】
0003857991.tif 000015
【０１１６】
すなわち、前記式（１２）は入力色成分Ｒ0、Ｇ0及びＢ0の配合比Ｒa、Ｇa及びＢaがいずれも同じ場合に求められた出力色成分Ｒout、Ｇout及びＢoutを表わす。
【０１１７】
しかし、入力色成分Ｒ0、Ｇ0及びＢ0により生成された第４色成分と第４色チャンネルにおいて再現される第４色成分とが同じではなく、第４色成分が任意のカラー成分である場合、すなわち、第４色チャンネルにおける出力光度ＥWを３色成分にベクトル分解したとき、分解された成分別の光度ＥW#r、ＥW#g及びＥW#bのうち少なくとも一つが異なる場合、図４に示す第１８段階に関する本発明の他の実施形態は下記の通りである。
【０１１８】
図８は、図４に示す第１８段階に関する本発明に係る他の実施形態１８Ａを説明するためのフローチャートであり、配合比Ｒa、Ｇa及びＢaと第４色成分の値Ｗoutとを乗算した結果を増加値Ｒ2、Ｇ2及びＢ2から減算する段階（第１１０段階及び第１１２段階）を含んでなる。
【０１１９】
第１６段階後に、第４色チャンネルにおける出力光度ＥWを３色成分にベクトル分解し、ベクトル分解された結果である成分別の光度ＥW#r、ＥW#g及びＥW#b間の比率よりなる配合比Ｒa、Ｇa及びＢaと第４色成分の値Ｗoutとを成分別に各々乗算する（第１１０段階）。このとき、配合比Ｒa、Ｇa及びＢaは下記式（１３）で定義される。
【０１２０】
【数１７】
0003857991.tif 000016
【０１２１】
前記式（１３）中、関数［Ｆ（ａ、ｂ、ｃ）］は因子ａ、ｂ及びｃのうちの最大値または最小値を意味し、係数ｂ1、ｂ2及びｂ3は成分別の重み付け値である。
【０１２２】
第１１０段階後に、乗算された結果を増加値Ｒ2、Ｇ2及びＢ2から減算し、減算された結果を出力色成分Ｒout、Ｇout及びＢoutに決定する（第１１２段階）。その結果、図８に示す実施形態１８Ａにより求められた出力色成分Ｒout、Ｇout及びＢoutは下記式（１４）で表わされる。
【０１２３】
【数１８】
0003857991.tif 000017
【０１２４】
以下、添付した図面に基づき、前記映像の輝度変更方法を実行する本発明に係る映像の輝度変更装置の構成及び動作について下記の通りに説明する。
図９は、本発明に係る映像の輝度変更装置のブロック図であり、領域決定部１４０、増加率計算部１４２、増加値計算部１４４、第４色成分値計算部１４６及び出力色成分計算部１４８を備える。
【０１２５】
図９に示す領域決定部１４０は、図４に示す第１０段階を実行するために、図２に示す色領域を表わす領域のうち外部より入力端子ＩＮ１を介して入力された３種類の入力色成分Ｒ0、Ｇ0及びＢ0である第１色成分、第２色成分及び第３色成分が属する領域を決定し、決定された結果を第１制御信号Ｃ1として増加率計算部１４２に出力する。このとき、領域決定部１４０は３種類の入力色成分Ｒ0、Ｇ0及びＢ0が属する領域を、入力端子ＩＮ１を介して外部より入力された許容光量増加率Ｋ3に応じて決定することができる。
【０１２６】
増加率計算部１４２は、第１２段階を実行するために、領域決定部１４０より入力された第１制御信号Ｃ1に応答して入力端子ＩＮ１を介して入力された入力色成分Ｒ0、Ｇ0及びＢ0からレベル増加率Ｓ1を計算し、計算されたレベル増加率Ｓ1を増加値計算部１４４に出力する。このとき、増加率計算部１４２は、許容光量増加率Ｋ3に応じてレベル増加率Ｓ1を計算することができる。
【０１２７】
以下、図９に示す領域決定部１４０及び増加率計算部１４２の本発明に係る実施形態の各々の構成及び動作について下記の通りに説明する。
図１０は、図９に示す領域決定部１４０の本発明で好適な一実施形態１４０Ａのブロック図であり、交点計算部１６０及び第１比較部１６２を備える。
【０１２８】
図１０に示す交点計算部１６０は、図５に示す第３０段階を実行するために、入力色成分Ｒ0、Ｇ0及びＢ0を表わす入力ベクトルを色領域の境界に延ばすときに境界と交わる交点Ｒ3、Ｇ3及びＢ3を、入力端子ＩＮ２を介して外部より入力された入力色成分Ｒ0、Ｇ0及びＢ0から計算し、計算された交点Ｒ3、Ｇ3及びＢ3を第１比較部１６２に出力する一方、出力端子ＯＵＴ２を介して増加率計算部１４２に出力することもできる。
【０１２９】
このために、交点計算部１６０は、第１最大値抽出部１７０、第１除算部１７２及び第１乗算部１７４を備える。ここで、第１最大値抽出部１７０は入力端子ＩＮ２を介して入力される入力色成分Ｒ0、Ｇ0及びＢ0のうちの最大値を抽出し、抽出された最大値を第１除算部１７２に出力する。
【０１３０】
第１除算部１７２は入力色成分Ｒ0、Ｇ0及びＢ0が有し得る輝度レベルの最大値ｋ1を第１最大値抽出部１７０より入力された最大値で除算し、除算された結果を第１乗算部１７４に出力する。第１乗算部１７４は第１除算部１７２より入力された前記除算された結果と入力色成分Ｒ0、Ｇ0及びＢ0とを乗算し、乗算された結果を交点Ｒ3、Ｇ3及びＢ3として出力する。その結果、交点計算部１６０は前記式（３）で表わされる交点を計算する。
【０１３１】
このとき、第１比較部１６２は、第３２段階を実行するために、交点計算部１６０より入力された交点Ｒ3、Ｇ3及びＢ3の座標と第１しきい値とを比較し、比較された結果を第１制御信号Ｃ1として増加率計算部１４２に出力する。
【０１３２】
図１１は、図９に示す増加率計算部１４２の本発明に係る一実施形態１４２Ａのブロック図であり、第１最小値抽出部１９０、第２乗算部１９１、第１減算部１９２、第２最大値抽出部１９４、第２除算部１９６及び第１バイパス部１９８を備える。
【０１３３】
図１１に示す増加率計算部１４２Ａの第１最小値抽出部１９０、第２乗算部１９１及び第１減算部１９２は第３６段階、すなわち、前記式（６）を実行する。ここで、第１最小値抽出部１９０は領域決定部１４０より入力された第１制御信号Ｃ1に応答して、入力端子ＩＮ３を介して入力された交点Ｒ3、Ｇ3及びＢ3の座標のうちの最小値を抽出し、抽出された最小値を第２乗算部１９１に出力する。
【０１３４】
このために、第１最小値抽出部１９０は、交点Ｒ3、Ｇ3及びＢ3を図１０に示す領域決定部１４０、例えば交点計算部１６０から入力してもよく、入力端子ＩＮ３を介して外部より入力された入力色成分Ｒ0、Ｇ0及びＢ0から自ら計算してもよい。前記第１最小値抽出部１９０は第１制御信号Ｃ1を介して交点Ｒ3、Ｇ3及びＢ3のうち少なくとも一つが第１しきい値より小さいと判断されたときに限り、交点Ｒ3、Ｇ3及びＢ3のうちの最小値を抽出する。
【０１３５】
すなわち、第１制御信号Ｃ1を介して交点Ｒ3、Ｇ3及びＢ3の座標のうち少なくとも一つが第１しきい値より小さと判断されないとき、第１最小値抽出部１９０は交点Ｒ3、Ｇ3及びＢ3の座標のうちの最小値を抽出しない。第２乗算部１９１は、第１最小値抽出部１９０より入力された最小値と外部より入力された許容光量増加率Ｋ3とを乗算し、乗算された結果を第１減算部１９２に出力する。このとき、第１減算部１９２は、第２乗算部１９１より入力された前記乗算された結果を交点の座標各々Ｒ3、Ｇ3及びＢ3から減算し、減算された結果を第２最大値抽出部１９４に出力する。
【０１３６】
もし、許容光量増加率Ｋ3が１に設定された場合、図１１に示す増加率計算部１４２Ａは第２乗算部１９１を備えなくてもよい。この場合、第１減算部１９２は第１最小値抽出部１９０より入力された最小値を交点の各座標Ｒ3、Ｇ3及びＢ3から減算し、減算された結果を第２最大値抽出部１９４に出力する。
【０１３７】
図１１に示す第２最大値抽出部１９４及び第２除算部１９６は、第３８段階すなわち、前記式（７）を実行する。
ここで、第２最大値抽出部１９４は、第１減算部１９２より入力された前記減算された結果Ｒ4、Ｇ4及びＢ4のうちの最大値を抽出し、抽出された最大値を第２除算部１９６に出力する。第２除算部１９６は入力色成分Ｒ0、Ｇ0及びＢ0が有し得る輝度レベルの最大値ｋ1を第２最大値抽出部１９４より入力された最大値で除算し、除算された結果をレベル増加率Ｓ1として増加値計算部１４４に出力端子ＯＵＴ３を介して出力する。
【０１３８】
このとき、第１バイパス部１９８は、第３４段階を実行するために、領域決定部１４０より入力された第１制御信号Ｃ1に応答して第１所定値をレベル増加率Ｓ1として出力端子ＯＵＴ４を介して出力する。例えば、第１制御信号Ｃ1から交点Ｒ3、Ｇ3及びＢ3の座標のうちいずれも第１しきい値より小さくないと判断されるとき、第１バイパス部１９８は第１所定値をレベル増加率Ｓ1として出力端子ＯＵＴ４を介して出力する。
【０１３９】
図１２は、図９に示す領域決定部１４０の本発明に係る他の実施形態１４０Ｂのブロック図であり、第３最大値抽出部２１０、第２最小値抽出部２１２、第３乗算部２１４、第２減算部２１６及び第２比較部２１８を備える。
図１２に示す領域決定部１４０Ｂは、図６に示す第５０段階ないし第５４段階を実行する。すなわち、第５０段階を実行するために、第３最大値抽出部２１０は入力端子ＩＮ４を介して外部より入力された入力色成分Ｒ0、Ｇ0及びＢ0のうちの最大値Ｍ1を抽出し、第２最小値抽出部２１２は入力端子ＩＮ４を介して外部より入力された入力色成分Ｒ0、Ｇ0及びＢ0のうちの最小値Ｍ2を抽出する。このとき、第５２段階を実行するために、第３乗算部２１４及び第２減算部２１６が設けられる。
【０１４０】
ここで、第３乗算部２１４は、第２最小値抽出部２１２より入力された最小値Ｍ2と第１所定値Ｋ4とを乗算し、乗算された結果を第２減算部２１６に出力する。第２減算部２１６は、第３乗算部２１４より入力された前記乗算された結果を第３最大値抽出部２１０より入力された最大値Ｍ1から減算し、減算された結果を第２比較部２１８に出力する。第５４段階を実行するために、第２比較部２１８は、第２減算部２１６より入力された前記減算された結果と第２しきい値とを比較し、比較された結果を第１制御信号Ｃ1として増加率計算部１４２に出力する。
【０１４１】
図１３は、図９に示す増加率計算部１４２の本発明に係る他の実施形態１４２Ｂのブロック図であり、第４乗算部２３１、第３減算部２３０、第３除算部２３２及び第２バイパス部２３４を備える。
図１３に示す増加率計算部１４２Ｂは、第５６段階すなわち、前記式（８）を実行するために、第４乗算部２３１、第３減算部２３０及び第３除算部２３２を備える。
【０１４２】
ここで、第４乗算部２３１は、領域決定部１４０より入力された最小値Ｍ2と外部より入力される許容光量増加率Ｋ3とを乗算し、乗算された結果を第３減算部２３０に出力する。第３減算部２３０は、領域決定部１４０より入力された第１制御信号Ｃ1に応答して最大値Ｍ1から第４乗算部２３１より入力された前記乗算された結果を減算し、減算された結果を第３除算部２３２に出力する。
【０１４３】
このために、最大値Ｍ1及び最小値Ｍ2は、図９に示す領域決定部１４０、例えば、図１２に示す第３最大値抽出部２１０及び第２最小値抽出部２１２より第３減算部２３０に別々に入力されてもよく、入力端子ＩＮ１を介して外部より入力された入力色成分Ｒ0、Ｇ0及びＢ0から増加率計算部１４２により自ら生成された後に第３減算部２３０に入力されてもよい。
【０１４４】
もし、許容光量増加率Ｋ3が１である場合、図１３に示す増加率計算部１４２Ｂは第４乗算部２３１を備えない。このとき、第３減算部２３０は領域決定部１４０より入力された第１制御信号Ｃ1に応答して最大値Ｍ1から最小値Ｍ2を減算し、減算された結果を第３除算部２３２に出力する。
【０１４５】
このとき、第３除算部２３２は入力色成分Ｒ0、Ｇ0及びＢ0のうちの最大値Ｍ1を第３減算部２３０により減算された結果で除算し、除算された結果をレベル増加率Ｓ1として出力端子ＯＵＴ５を介して増加値計算部１４４に出力する。
【０１４６】
このとき、第５８段階を実行するために、第２バイパス部２３４は、領域決定部１４０より入力された第１制御信号Ｃ1に応答して、第２所定値Ｋ4をレベル増加率Ｓ1として出力端子ＯＵＴ６を通じ増加値計算部１４４に出力する。例えば、第１制御信号Ｃ1を通して最大値Ｍ1から最小値Ｍ2をＫ4倍した値を減算した結果が第２しきい値より大きくないと判断されれば、第２所定値Ｋ4をレベル増加率Ｓ1として出力端子ＯＵＴ６を介して増加値計算部１４４に出力する。
【０１４７】
本発明によれば、図９に示す映像の輝度変更装置は、領域決定部１４０を備えなくてもよい。この場合、第１２段階を実行するために、増加率計算部１４２は、入力端子ＩＮ１を介して入力された許容光量増加率ｋ3及び入力色成分Ｒ0、Ｇ0及びＢ0からレベル増加率Ｓ1を計算する。
【０１４８】
一方、図４に示す第１４段階を実行するために、増加値計算部１４４は、外部より入力端子ＩＮ１を介して入力された入力色成分Ｒ0、Ｇ0及びＢ0を増加率計算部１４２より入力されたレベル増加率Ｓ1に応じてスケーリングし、得られたスケーリング結果を入力色成分Ｒ0、Ｇ0及びＢ0の増加値Ｒ2、Ｇ2及びＢ2として第４色成分値計算部１４６及び出力色成分計算部１４８に出力する。
【０１４９】
図１４は、図９に示す増加値計算部１４４の本発明に係る一実施形態１４４Ａのブロック図であり、第５乗算部２５０を備える。
図１４に示す増加値計算部１４４Ａの第５乗算部２５０は、増加率計算部１４２より入力端子ＩＮ５を介して入力されたレベル増加率Ｓ1と入力端子ＩＮ６を介して外部より入力された入力色成分Ｒ0、Ｇ0及びＢ0とを各々乗算し、乗算された結果を増加値Ｒ2、Ｇ2及びＢ2として出力する。すなわち、増加値計算部１４４Ａの第５乗算部２５０は、前記式（９）を用いて増加値Ｒ2、Ｇ2及びＢ2を計算する。
【０１５０】
一方、第１６段階を実行するために、第４色成分値計算部１４６は、増加値計算部１４４より入力された増加値Ｒ2、Ｇ2及びＢ2から第４色成分の値Ｗoutを計算し、計算された第４色成分の値Ｗoutを出力色成分計算部１４８に出力する。
【０１５１】
図１５は、図９に示す第４色成分計算部１４６の本発明に係る好適な一実施形態１４６Ａのブロック図であり、第３最小値抽出部２８０、第３比較部２８２、第１更新部２８４及び第３バイパス部２８６を備えて構成されている。
【０１５２】
図１５に示す第４色成分値計算部１４６Ａの第３最小値抽出部２８０は、図７に示す第９０段階を実行するために、増加値計算部１４４より入力端子ＩＮ７を介して入力された増加値Ｒ2、Ｇ2及びＢ2のうちの最小値を抽出し、抽出された最小値を第３比較部２８２及び第３バイパス部２８６に出力する。第９２段階を実行するために、第３比較部２８２は、第３最小値抽出部２８０より入力された最小値と第４色成分が有し得る輝度レベルの最大値ｋ2とを比較し、比較された結果を第２制御信号Ｃ2として第１更新部２８４及び第３バイパス部２８６に各々出力する。
【０１５３】
このとき、第３バイパス部２８６は、第３比較部２８２より入力された第２制御信号Ｃ2に応答して第３最小値抽出部２８０より入力された最小値をバイパスし、出力端子ＯＵＴ８を介して出力色成分計算部１４８に第４色成分の値として出力する。例えば、第３バイパス部２８６は、第３比較部２８２より入力された第２制御信号Ｃ2を通して第４色成分の値Ｗoutがｋ2より大きくないと判断されれば、第３最小値抽出部２８０より入力された最小値をバイパスし、出力端子ＯＵＴ８を介して出力色成分計算部１４８に第４色成分の値として出力する。
【０１５４】
第９４段階を実行するために、第１更新部２８４は、第３比較部２８２より入力された第２制御信号Ｃ2に応答して、第４色成分の値を第４色成分が有し得る輝度レベルの最大値ｋ2に更新し、更新された第４色成分の値Ｗoutを出力色成分計算部１４８に出力端子ＯＵＴ９を介して出力する。例えば、第１更新部２８４は、第３比較部２８２より入力された第２制御信号Ｃ2を通して第４色成分の値がｋ2より大きいと判断されれば、第４色成分の値をｋ2に更新し、更新された第４色成分の値Ｗoutを出力色成分計算部１４８に出力端子ＯＵＴ９を介して出力する。
【０１５５】
図１６は、図９に示す第４色成分計算部１４６の本発明に係る他の好適な実施形態１４６Ｂのブロック図であり、第４最大値抽出部３２０、第４比較部３２２、第４減算部３２４、第５比較部３２６、第２更新部３２８及び第４バイパス部３３０を備える。
【０１５６】
図１６に示す第４色成分値計算部１４６Ｂの第４最大値抽出部３２０、第４比較部３２２及び第４減算部３２４は、図７に示す第９０段階を実行する。ここで、第４最大値抽出部３２０は、増加値計算部１４４より入力端子ＩＮ８を介して入力された増加値Ｒ2、Ｇ2及びＢ2のうちの最大値を抽出し、抽出された最大値を第４色成分の値に決定して第４比較部３２２及び第４減算部３２４に各々出力する。
【０１５７】
第４比較部３２２は、第４最大値抽出部３２０より入力された最大値と第４色成分が有し得る輝度レベルの最大値ｋ2である第３しきい値とを比較し、比較された結果を第３制御信号Ｃ3として第４減算部３２４に出力する。第４減算部３２４は、第４比較部３２２より入力された第３制御信号Ｃ3を通して第４最大値抽出部３２０の出力である最大値が第３しきい値より大きいと判断されれば、第４最大値抽出部３２０から出力される最大値からｋ2を減算し、減算された結果を第５比較部３２６に出力する。しかし、第３制御信号Ｃ3を通して第４最大値抽出部３２０の出力である最大値が第３しきい値より大きくないと判断されれば、第４減算部３２４は「０」、例えば、ｋ2からｋ2を減算した結果を第５比較部３２６に出力する。
【０１５８】
第５比較部３２６及び第４バイパス部３３０は第９２段階を実行する。ここで、第５比較部３２６は、第４減算部３２４より入力された前記減算された結果と第４色成分が有し得る輝度レベルの最大値ｋ2とを比較し、比較された結果を第４制御信号Ｃ4として第２更新部３２８及び第４バイパス部３３０に各々出力する。
【０１５９】
もし、第４減算部３２４において減算された結果がｋ2より大きければ、第５比較部３２６は第２更新部３２８がイネーブルされるように第４制御信号Ｃ4を発振する。しかし、第４減算部３２４において減算された結果がｋ2より大きくなければ、第５比較部３２６は第４バイパス部３３０がイネーブルされるように第４制御信号Ｃ4を発振する。第４バイパス部３３０は第５比較部３２６より入力された第４制御信号Ｃ4に応答してイネーブルされ、第４減算部３２４より入力された前記減算された結果をバイパスし、出力端子ＯＵＴ１０を介して出力色成分計算部１４８に第４色成分の値として出力する。
【０１６０】
第９４段階を実行するために、第２更新部３２８は第５比較部３２６より入力された第４制御信号Ｃ4に応答してイネーブルされ、第４色成分が有し得る輝度レベルの最大値ｋ2に第４色成分の値を更新して出力端子ＯＵＴ１１を介して出力色成分計算部１４８に出力する。
【０１６１】
図１７は、図９に示す第４色成分計算部１４６の本発明に係る更に他の好適な実施形態１４６Ｃのブロック図であり、第５最大値抽出部３４０、第４最小値抽出部３４２、第６比較部３４４、第５減算部３４６、第６乗算部３４８、第７乗算部３５０、最小値設定部３５２、加算部３５４、第７比較部３５６、第３更新部３５８、第４除算部３６０及び第５バイパス部３６２を備える。
【０１６２】
図１７に示す第４色成分値計算部１４６Ｃの第５最大値抽出部３４０、第４最小値抽出部３４２、第６比較部３４４、第５減算部３４６、第６乗算部３４８、第７乗算部３５０、最小値設定部３５２、加算部３５４及び第４除算部３６０は、図７に示す第９０段階を実行する。
【０１６３】
ここで、第５最大値抽出部３４０は、増加値計算部１４４より入力端子ＩＮ９を介して入力された増加値Ｒ2、Ｇ2及びＢ2のうちの最大値を抽出し、抽出された最大値を第６比較部３４４及び第５減算部３４６に出力する。第６比較部３４４は、第５最大値抽出部３４０より入力された最大値と第４色成分が有し得る輝度レベルの最大値ｋ2である第３しきい値とを比較し、比較された結果を第５制御信号Ｃ5として第５減算部３４６、最小値設定部３５２及び加算部３５４に各々出力する。もし、入力された最大値が第３しきい値より大きければ、第６比較部３４４は第５減算部３４６をイネーブルするように第５制御信号Ｃ5を発振する。
【０１６４】
しかし、入力された最大値が第３しきい値より大きくなければ、第６比較部３４４は最小値設定部３５２をイネーブルするように第５制御信号Ｃ5を発振する。最小値設定部３５２は第５制御信号Ｃ5に応答してイネーブルされ、第４色成分が有し得る輝度レベルの最小値ｋ2’、例えば「０」を加算部３５４に出力する。第５減算部３４６は第６比較部３４４より入力された第５制御信号Ｃ5に応答してイネーブルされ、第５最大値抽出部３４０より入力された最大値からｋ2を減算し、減算された結果を第６乗算部３４８に出力する。第６乗算部３４８は第５減算部３４６より入力された前記減算された結果と係数ａ2とを乗算し、乗算された結果を加算部３５４に出力する。
【０１６５】
一方、第４最小値抽出部３４２は、増加値計算部１４４より入力端子ＩＮ９を介して入力された増加値Ｒ2、Ｇ2及びＢ2のうちの最小値を抽出し、抽出された最小値を第７乗算部３５０に出力する。第７乗算部３５０は第４最小値抽出部３４２より入力された前記抽出された最小値と係数ａ1とを乗算し、乗算された結果を加算部３５４に出力する。
【０１６６】
加算部３５４は第６乗算部３４８から出力される前記乗算された結果及び最小値設定部３５２から出力される最小値のうちいずれか一方に第７乗算部３５０から出力される前記乗算された結果を加算し、加算された結果を第４除算部３６０に出力する。例えば、加算部３５４は、第５制御信号Ｃ5を通して第５最大値抽出部３４０の出力が第３しきい値より大きいと判断されれば、第６乗算部３４８において乗算された結果に第７乗算部３５０において乗算された結果を加算する。
【０１６７】
しかし、第５制御信号Ｃ5を通して第５最大値抽出部３４０の出力が第３しきい値より大きくないと判断されれば、加算部３５４は最小値設定部３５２の出力に第７乗算部３５０の出力を加算する。
【０１６８】
本発明によれば、図１７に示す第４色成分計算部１４６Ｃは、第６及び第７乗算部３４８及び３５０を備えなくてもよい。この場合、加算部３５４は、第５減算部３４６から出力される前記減算された結果及び最小値設定部３５２から出力される最小値のうちいずれか一方に第４最小値抽出部３４２より入力された最小値を加算し、加算された結果を第４除算部３６０に出力する。
【０１６９】
第４除算部３６０は、加算部３５４から出力される前記加算された結果を係数ａ3で除算し、除算された結果を第７比較部３５６及び第５バイパス部３６２に各々出力する。
【０１７０】
第７比較部３５６及び第５バイパス部３６２は第９２段階を実行する。
ここで、第７比較部３５６は、第４除算部３６０より入力された前記除算された結果と第４色成分が有し得る輝度レベルの最大値ｋ2である第３しきい値とを比較し、比較された結果を第６制御信号Ｃ6として第３更新部３５８及び第５バイパス部３６２に出力する。もし、第４除算部３６０から出力される前記除算された結果が第３しきい値より大きければ、第７比較部３５６は第３更新部３５８をイネーブルするように第６制御信号Ｃ6を発振する。
【０１７１】
しかし、第４除算部３６０から出力される前記除算された結果が第３しきい値より大きくなければ、第７比較部３５６は第５バイパス部３６２をイネーブルするように第６制御信号Ｃ6を発振する。第５バイパス部３６２は第７比較部３５６より入力された第６制御信号Ｃ6に応答してイネーブルされ、第４除算部３６０より入力された前記除算された結果をバイパスし、出力端子ＯＵＴ１２を介して出力色成分計算部１４８に第４色成分の値として出力する。
【０１７２】
第９４段階を実行するために、第３更新部３５８は第７比較部３５６より入力された第６制御信号Ｃ6に応答してイネーブルされ、第４色成分が有し得る輝度レベルの最大値ｋ2である第３しきい値に第４色成分の値を更新し、出力端子ＯＵＴ１３を介して出力色成分計算部１４８に出力する。
【０１７３】
図９に示す出力色成分計算部１４８は、第１８段階を実行するために、入力色成分Ｒ0、Ｇ0及びＢ0の輝度を上げた出力色成分Ｒout、Ｇout及びＢoutを増加値計算部１４４より入力された増加値Ｒ2、Ｇ2及びＢ2及び第４色成分値計算部１４６より入力された第４色成分の値Ｗoutから計算し、計算された出力色成分Ｒout、Ｇout及びＢoutを、出力端子ＯＵＴ１を介して出力する。
【０１７４】
図１８は、図９に示す出力色成分計算部１４８の本発明で好適な一実施形態１４８Ａのブロック図であり、第６減算部３９０を備える。
図１８に示す第６減算部３９０は、入力端子ＩＮ１０を介して増加値計算部１４４より入力された増加値Ｒ2、Ｇ2及びＢ2から入力端子ＩＮ１１を介して第４色成分値計算部１４６より入力された第４色成分の値Ｗoutを減算し、減算された結果を出力色成分Ｒout、Ｇout及びＢoutとして出力端子ＯＵＴ１４を介して出力する。すなわち、第６減算部３９０は、前記式（１２）を用いて出力色成分Ｒout、Ｇout及びＢoutを計算する。
【０１７５】
図１９は、図９に示す出力色成分計算部１４８の本発明に係る他の実施形態１４８Ｂのブロック図であり、第８乗算部４００及び第７減算部４０２を備える。図１９に示す第８乗算部４００は、図８に示す第１１０段階を実行するために、入力色成分Ｒ0、Ｇ0及びＢ0の配合比Ｒa、Ｇa及びＢaと入力端子ＩＮ１２を介して第４色成分値計算部１４６より入力された第４色成分の値Ｗoutとを各々乗算し、乗算された結果を第７減算部４０２に出力する。第１１２段階を実行するために、第７減算部４０２は、入力端子ＩＮ１３を介して増加値計算部１４４より入力された増加値Ｒ2、Ｇ2及びＢ2から第８乗算部４００において乗算された結果を減算し、減算された結果を出力色成分Ｒout、Ｇout及びＢoutとして出力端子ＯＵＴ１５を介して出力する。
【０１７６】
以上の通り、図９に示す本発明に係る映像の輝度変更装置は、入力端子ＩＮ１を介して３種類の入力色成分Ｒ0、Ｇ0及びＢ0を入力して、出力端子ＯＵＴ１を介して３種類の出力色成分Ｒout、Ｇout及びＢoutと、第４色成分の値Ｗoutとを出力することが可能ということがわかる。
【０１７７】
【発明の効果】
以上説明した通りに構成される本発明によれば、以下の効果を奏する。すなわち、本発明に係る映像の輝度変更方法及び装置によれば、入力色成分の輝度を調整する輝度のレベル増加率を、色領域を考慮して入力色成分に応じて適応的に調節するので、入力色成分のクリッピングを防止することができ、且つ、第４色成分を追加して出力映像の輝度を上げるときに純度が低下するという問題を解消することができ、その結果、入力色成分と同じ色及び純度を保持して、輝度のみを上げた出力映像を獲得することを可能とし、ひいては３種類の入力色成分を４種類の出力色成分に比較的簡便に変換させることが可能となる。
【図面の簡単な説明】
【図１】３種類の入力色成分である第１、第２及び第３色成分（例えば、ＲＧＢ）を３次元色空間において示す図面である。
【図２】４種類の第１、第２、第３及び第４色成分（例えば、ＲＧＢＷ）をＲＧ及びＷを用いて２次元上において例示的に示す図面である。
【図３】４種類の色成分（例えば、ＲＧＢＷ）をＲＧ及びＷを用いて２次元上において例示的に示す他の図面である。
【図４】本発明に係る映像の輝度変更方法を説明するためのフローチャートである。
【図５】図４に示す第１０段階及び第１２段階に関する本発明で好適な一実施形態を説明するためのフローチャートである。
【図６】図４に示す第１０段階及び第１２段階に関する本発明に係る他の好適な実施形態を説明するためのフローチャートである。
【図７】図４に示す第１６段階に関する本発明に係る一実施形態を説明するためのフローチャートである。
【図８】図４に示す第１８段階に関する本発明に係る他の実施形態を説明するためのフローチャートである。
【図９】本発明に係る映像の輝度変更装置のブロック図である。
【図１０】図９に示す領域決定部の本発明で好適な一実施形態のブロック図である。
【図１１】図９に示す増加率計算部の本発明に係る一実施形態のブロック図である。
【図１２】図９に示す領域決定部の本発明に係る他の実施形態のブロック図である。
【図１３】図９に示す増加率計算部の本発明に係る他の実施形態のブロック図である。
【図１４】図９に示す増加値計算部の本発明に係る一実施形態のブロック図である。
【図１５】図９に示す第４色成分計算部の本発明で好適な一実施形態のブロック図である。
【図１６】図９に示す第４色成分計算部の本発明で好適な他の実施形態のブロック図である。
【図１７】図９に示す第４色成分計算部の本発明で好適な更に他の実施形態のブロック図である。
【図１８】図９に示す出力色成分計算部の本発明で好適な一実施形態のブロック図である。
【図１９】図９に示す出力色成分計算部の本発明に係る他の実施形態のブロック図である。
【図１】
0003857991.tif 000020
【図２】
0003857991.tif 000021
【図３】
0003857991.tif 000022
【図４】
0003857991.tif 000023
【図５】
0003857991.tif 000024
【図６】
0003857991.tif 000025
【図７】
0003857991.tif 000026
【図８】
0003857991.tif 000027
【図９】
0003857991.tif 000028
【図１０】
0003857991.tif 000029
【図１１】
0003857991.tif 000030
【図１２】
0003857991.tif 000031
【図１３】
0003857991.tif 000032
【図１４】
0003857991.tif 000033
【図１５】
0003857991.tif 000034
【図１６】
0003857991.tif 000035
【図１７】
0003857991.tif 000036
【図１８】
0003857991.tif 000037
【図１９】
0003857991.tif 000038